(57)【要約】      （修正有）【課題】常時取り付けられる簡単な結束具と、結束具付き折畳椅子を提供する。【解決手段】折畳椅子の結束具１００は、取付具１１０と、結束帯１２０と、掛け具１３０を備え、取付具は、押しハンドル１５０又は、フレームに接続固定するためのフレーム固定具１１１と、結束帯の端を接続する、又は、掛け具を接続するためにフレーム固定具に備えた接続具１１２を備えている。【選択図】図１
0003227980.tif 000002
【実用新案登録請求の範囲】
【請求項１】
折畳椅子の手押し用の押しハンドル又はフレームに取り付けられるもので、取付具と、
前記取付具の一端に接続した結束帯と、前記取付具の他端についた掛け具を備え、
前記取付具は、前記押しハンドル又は、前記フレームに接続固定するためのフレーム固定具と、前記結束帯の端を接続する、又は、前記掛け具を接続するために、前記フレーム固定具に備えた接続具を備えることを特徴とする折畳椅子の結束具。
【請求項２】
前記フレーム固定具の断面穴形状は、前記押しハンドル又はフレームの断面形状に合っていて、前記フレーム固定具の前記断面穴は、一端が回転自在に結合した二つ腕で構成されたことで、取付容易にしたことを特徴とする請求項１記載の折畳椅子の結束具。
【請求項３】
前記結束帯は、伸縮性を有することを特徴とする請求項１又は請求項２のいずれか１つに記載の折畳椅子の結束具。
【請求項４】
前記取付具は、２個の前記接続具を備えていることを特徴とする請求項１から請求項３のいずれか１つに記載の折畳椅子の結束具。
【請求項５】
請求項１から請求項４のいずれか１つに記載の折畳椅子の結束具を、前記手押し用の押しハンドル又は前記フレームに備えたことを特徴とする折畳椅子。
【請求項６】
前記取付具の２個を、左右の前記手押し用の押しハンドル又は前記フレームに備えたことを特徴とする請求項５に記載の折畳椅子。
【考案の詳細な説明】
【技術分野】
【０００１】
本考案は、折畳椅子の結束具と結束具の着いた折畳椅子に関するものである。
【背景技術】
【０００２】
図３は、従来の折畳椅子の構造を示す図である。３−Ａでは、椅子の幅方向にクロスした折畳具が付いているものを示している。特許文献１では、この折畳のためのクロス手段が、従来のものでは、固定具がないので、広げて使う場合に広がった状態を固定的に維持するため、３−Ｂに示すような、横バー固定具の着いたものを提案している。これは、広がった状態を固定的（しっかり）保持するにはよい手段であり、今では、よく行われる手段である。しかしながら、逆に、折りたたんで状態で固定的に保持することは、今まで要求が、なされなかったのか、文献他には見出すことができない。一台を対象にしている場合には、このような要求を感じることがない。ところが、病院等では、多数の車椅子が玄関脇等においてあり、必要な人が、利用することになっている。おいてある状態は、広がった状態は少なく、多数台の収納に都合がよいように、折りたたんでおいてある。
この場合、折りたたんだ車椅子は、最小の状態に降り畳んだ状態から、ゆるみ広がりやすい。そうすると、広がった隣の台を押しながら、次の台を収納する。大体は、複数台が広がった状態では、修正は難しく、乱雑になってしまう。これを改善する手立てとして紐を用意し、１台ごと、その都度、結束することが考えられるが、結束が面倒なことや、紐の用意が面倒なこと、その定めが使用者に認識されない等で実行されていない欠点があった。
【先行技術文献】
【特許文献】
【０００３】
【特許文献１】実開Ｈ３−１１８５１
【考案の概要】
【考案が解決しようとする課題】
【０００４】
本願の課題は、折畳椅子に常時取り付けられる簡単な結束具と、結束具付き折畳椅子を提供することである。
【課題を解決するための手段】
【０００５】
以下請求項に沿い記述する。
請求項１記載の考案は、折畳椅子の結束具であって、
折畳椅子の手押し用の押しハンドル又はフレームに取り付けられるもので、取付具と、
前記取付具の一端に接続した結束帯と、前記取付具の他端についた掛け具を備え、
前記取付具は、前記押しハンドル又は、前記フレームに接続固定するためのフレーム固定具と、前記結束帯の端を接続する、又は、前記掛け具を接続するために、前記フレーム固定具に備えた接続具を備えることを特徴とする。
【０００６】
請求項２記載の考案は、請求項１記載の折畳椅子の結束具において、
前記フレーム固定具の断面穴形状は、前記押しハンドル又はフレームの断面形状に合っていて、前記フレーム固定具の前記断面穴は、一端が回転自在に結合した二つ腕で構成されたことで、取付容易にしたことを特徴とする。
【０００７】
請求項３記載の考案は、請求項１又は請求項２のいずれか１つに記載の折畳椅子の結束具において、
前記結束帯は、伸縮性を有することを特徴とする。
【０００８】
請求項４記載の考案は、請求項１から請求項３のいずれか１つに記載の折畳椅子の結束具において、
前記取付具は、２個の前記接続具を備えていることを特徴とする。
【０００９】
請求項５記載の考案は、折畳椅子であって、
請求項１から請求項４のいずれか１つに記載の折畳椅子の結束具を、前記手押し用の押しハンドル又は前記フレームに備えたことを特徴とする。
【００１０】
請求項６記載の考案は、請求項５に記載の折畳椅子において、
前記取付具の２個を、左右の前記手押し用の押しハンドル又は前記フレームに備えたことを特徴とする。
【考案の効果】
【００１１】
以上の様に構成されているので、本考案による折畳椅子の結束具は、椅子ここ毎に常時取り付けられているので、折りたたんだ時に、フックを掛けるだけで、椅子は最小に折り畳んだ状態で固定され、緩むことがない。ゆえに、多数を収納でき、使用時は、フックを外せば、容易に広げられるので、極めて便利である。
【図面の簡単な説明】
【００１２】
【図１】本考案にかかる折畳椅子の結束具と折畳椅子の一実施態様を示す図である。
【図２】本考案にかかる折畳椅子の結束具と折畳椅子の他の実施態様を示す図である
【図３】従来の折畳椅子と折畳機構を示す図である。
【考案を実施するための形態】
【００１３】
図１は、本考案にかかる折畳椅子の結束具と折畳椅子の一実施態様を示す図である。
１−Ａには、折畳椅子の結束具１００の例を示している。１−Ｂでは、折畳椅子の結束具１００が、折畳車椅子の押しハンドル１５０に付設された例を示す。折畳椅子の結束具１００は、押しハンドル１５０以外にも、折りたたむ左右の相対するフレーム１６０のいずれか一方又は両者に付設される。１−Ａにおいて、折畳椅子の結束具１００は、押しハンドル１５０又は、フレーム１６０に取り付ける取付具１１０と、取付具１１０に一端で接続した結束帯１２０と他端についたフック等の掛け具１３０を備えている。
取付具１１０は、押しハンドル１５０やフレーム１６０に接続固定するためのフレーム固定具１１１と、結束帯１２０の端を接続する、又は、掛け具１３０を接続するために、フレーム固定具１１１に備えた接続具１１２を備えている。
結束帯１２０は、ワイヤ、チェイン、紐、バネ、ゴム紐などの長尺体で、ゴムのように伸縮する方が固定がしっかりできる。
掛け具１３０は、接続具１１２に接続されるので対応する形状となっている。例えば、図のように、掛け具１３０がフック、接続具１１２がフックを掛けるリングで対応している。
勿論、他の組み合わせによる対応でもよい。結束帯１２０自体をリングに通し結ぶこともできる。接続具１１２又は、掛け具１３０が、挟む或いは押し付けるなどクリップ形状であってもよい。
尚、フレーム固定具１１１の断面穴形状は、押しハンドル又はフレームの断面形状に合っていて、その断面穴は、一端が回転自在に結合した二つ腕で構成されている場合には、特にフレーム等に容易に取り付けることができ、後付けができて都合がよい。
【００１４】
１−Ｂでは、折畳椅子を開いた使用状態を示すが、折畳椅子の結束具１００は、片方の押しハンドル１５０に取り付いていて、結束帯１２０、掛け具１３０は、図のように、一方側にあって、他の押しハンドル１５０とは何ら関係がない状態を示す。
１−Ｃでは、折畳椅子を閉じた収納状態を示すが、結束帯１２０が、他方の押しハンドル１５０に巻いて、掛け具１３０が接続具１１２に掛かっていることで、両方の押しハンドル１５０は、縛られて固定的状態になっており、ゆるみが回避されている。図のように、接続具１１２が二つあると好都合である。
【００１５】
図２は、本考案にかかる折畳椅子の結束具と折畳椅子の他の実施態様を示す図である。
図１の１−Ｂと１−Ｃに対応して、２−Ａと２−Ｂがあるが、違いだけ記述すると、図２では、取付具１１０をもう一つ使い、他方の押しハンドル１５０に取り付けてあるものである。そのことで、結束帯１２０が他方の押しハンドル１５０に巻いたあと、掛け具１３０は、他方の押しハンドル１５０側の接続具１１２に掛けられているものである。
【００１６】
全ての椅子において、フレームに繋がる椅子部分の存在は当然なので、図示は、省略してある。
尚、取付具１１０、結束帯１２０は、市販のものを使用できる。
【産業上の利用可能性】
【００１７】
以上のように本考案にかかる折畳椅子の結束具とこれをつけた結束具付き折畳椅子では、折りたたんで収納するときに、容易に緩まない折畳状態を得られ、多数の収納が可能となるので、産業上利用して極めて好都合である。
【００１８】
１００  折畳椅子の結束
１１０  取付具
１１１  フレーム固定具
１１２  接続具
１２０  結束帯
１３０  掛け具
１５０  押しハンドル
１６０  フレーム
【図１】
0003227980.tif 000003
【図２】
0003227980.tif 000004
【図３】
0003227980.tif 000005